【手続補正書】
【提出日】平成18年9月28日(2006.9.28)
【手続補正１】
【補正対象書類名】明細書
【補正対象項目名】特許請求の範囲
【補正方法】変更
【補正の内容】
【特許請求の範囲】
【請求項１】  番組を構成する番組用パラメータが記述された情報テーブルを含むデジタル放送信号を受信する受信機を有するデジタル放送受信システムであって、
前記受信機は、
前記デジタル放送信号に含まれる前記情報テーブルに記述された前記番組用パラメータを信号抽出用パラメータとして設定するパラメータ設定手段と、
前記信号抽出用パラメータに基づき、前記デジタル放送信号から番組用信号を抽出する信号抽出手段とを備え、
前記パラメータ設定手段は、
所定の判断基準に基づき前記情報テーブルの内容変化を検出し、検出毎に内容変化後の前記情報テーブルに記述された前記番組用パラメータを前記信号抽出用パラメータとして設定し、
前記情報テーブルの内容を所定時間毎に監視し、前記所定の判断基準は前記情報テーブル自体の内容変化の有無を含み、
前記情報テーブルには、時刻情報であるＰＣＲ（Program Clock Reference)がさらに記述され、
前記パラメータ設定手段は、前記ＰＣＲの不連続性を監視し、前記所定の判断基準は前記ＰＣＲの不連続性の有無を含む、
デジタル放送受信システム。
【請求項２】  番組を構成する番組用パラメータが記述された情報テーブルを含むデジタル放送信号を受信する受信機を有するデジタル放送受信システムであって、
前記受信機は、
前記デジタル放送信号に含まれる前記情報テーブルに記述された前記番組用パラメータを信号抽出用パラメータとして設定するパラメータ設定手段と、
前記信号抽出用パラメータに基づき、前記デジタル放送信号から番組用信号を抽出する信号抽出手段とを備え、
前記パラメータ設定手段は、
所定の判断基準に基づき前記情報テーブルの内容変化を検出し、検出毎に内容変化後の前記情報テーブルに記述された前記番組用パラメータを前記信号抽出用パラメータとして設定し、
前記情報テーブルには、時刻情報であるＰＣＲがさらに記述され、
前記パラメータ設定手段は、前記ＰＣＲの受信状態を監視し、前記所定の判断基準は前記ＰＣＲが所定時間受信不能であるか否かを含む、
デジタル放送受信システム。
【請求項３】  番組を構成する番組用パラメータが記述された情報テーブルを含むデジタル放送信号を受信する受信機を有するデジタル放送受信システムであって、
前記受信機は、
前記デジタル放送信号に含まれる前記情報テーブルに記述された前記番組用パラメータを信号抽出用パラメータとして設定するパラメータ設定手段と、
前記信号抽出用パラメータに基づき、前記デジタル放送信号から番組用信号を抽出する信号抽出手段とを備え、
前記パラメータ設定手段は、
所定の判断基準に基づき前記情報テーブルの内容変化を検出し、検出毎に内容変化後の前記情報テーブルに記述された前記番組用パラメータを前記信号抽出用パラメータとして設定し、
前記受信機は、
前記番組用信号をデコードするデコード手段をさらに備え、
前記パラメータ設定手段は、前記デコード手段によるデコード結果を監視し、前記所定の判断基準は前記デコード結果のエラー発生の有無を含む、
デジタル放送受信システム。
【請求項４】  番組を構成する番組用パラメータが記述された情報テーブルを含むデジタル放送信号を受信する受信機を有するデジタル放送受信システムであって、
前記受信機は、
前記デジタル放送信号に含まれる前記情報テーブルに記述された前記番組用パラメータを信号抽出用パラメータとして設定するパラメータ設定手段と、
前記信号抽出用パラメータに基づき、前記デジタル放送信号から番組用信号を抽出する信号抽出手段とを備え、
前記パラメータ設定手段は、
所定の判断基準に基づき前記情報テーブルの内容変化を検出し、検出毎に内容変化後の前記情報テーブルに記述された前記番組用パラメータを前記信号抽出用パラメータとして設定し、
前記デジタル放送信号は放送番組予定が記述されたＥＰＧ（Electric Program Guide）を含み、
前記パラメータ設定手段は、前記ＥＰＧから現在受信している番組の終了時刻を予め認識し、前記所定の判断基準は番組の終了時刻に達したか否かを含む、
デジタル放送受信システム。
【請求項５】  請求項４記載のデジタル放送受信システムであって、
外部より外部受信デジタル放送信号を受け、該外部受信デジタル放送信号を記録するとともに、記録した信号を再生用デジタル放送信号として出力する記録再生部を有する記録再生手段をさらに備え、
前記デジタル放送信号は前記再生用デジタル放送信号を含み、
前記受信機は記憶手段をさらに備え、
前記パラメータ設定手段は、前記記録再生部に記録された前記再生用デジタル放送信号から前記受信機が受信中の現番組に続く次番組の情報テーブルである次番組用情報テーブルを抽出し、該次番組用情報テーブルに記述された番組用パラメータを次番組用パラメータとして前記記憶手段に予め保存しておき、
前記情報テーブルの内容変化時に、前記記憶手段から前記次番組用パラメータを読み出して前記信号抽出用パラメータとして設定する
デジタル放送受信システム。
【請求項６】  番組を構成する番組用パラメータが記述された情報テーブルを含むデジタル放送信号を受信する受信機を有するデジタル放送受信システムであって、
前記受信機は、
前記デジタル放送信号に含まれる前記情報テーブルに記述された前記番組用パラメータを信号抽出用パラメータとして設定するパラメータ設定手段と、
前記信号抽出用パラメータに基づき、前記デジタル放送信号から番組用信号を抽出する信号抽出手段とを備え、
前記パラメータ設定手段は、
所定の判断基準に基づき前記情報テーブルの内容変化を検出し、検出毎に内容変化後の前記情報テーブルに記述された前記番組用パラメータを前記信号抽出用パラメータとして設定し、
外部より外部受信デジタル放送信号を受け、該外部受信デジタル放送信号を記録するとともに、記録した信号を再生用デジタル放送信号として出力する記録再生部を有する記録再生手段をさらに備え、
前記デジタル放送信号は前記再生用デジタル放送信号を含み、
前記記録再生手段は、
前記記録再生部が前記外部受信デジタル放送信号の記録停止時に、前記外部受信デジタル放送信号に不連続フラグを付加し前記再生用デジタル放送信号として前記記録再生部に記録させる不連続フラグ付加部をさらに備え、
前記パラメータ設定手段は、前記再生用デジタル放送信号中の前記不連続フラグを監視し、前記所定の判断基準は前記不連続フラグの有無を含む、
デジタル放送受信システム。
【請求項７】  番組を構成する番組用パラメータが記述された情報テーブルを含むデジタル放送信号を受信する受信機を有するデジタル放送受信システムであって、
前記受信機は、
前記デジタル放送信号に含まれる前記情報テーブルに記述された前記番組用パラメータを信号抽出用パラメータとして設定するパラメータ設定手段と、
前記信号抽出用パラメータに基づき、前記デジタル放送信号から番組用信号を抽出する信号抽出手段とを備え、
前記パラメータ設定手段は、
所定の判断基準に基づき前記情報テーブルの内容変化を検出し、検出毎に内容変化後の前記情報テーブルに記述された前記番組用パラメータを前記信号抽出用パラメータとして設定し、
外部より外部受信デジタル放送信号を受け、該外部受信デジタル放送信号を記録するとともに、記録した信号を再生用デジタル放送信号として出力する記録再生部を含む記録再生手段をさらに備え、
前記デジタル放送信号は前記再生用デジタル放送信号を含み、
前記記録再生手段は、
前記記録再生部が前記再生用デジタル放送信号の再生状態から停止状態への移行時に、該再生用デジタル放送信号に不連続フラグを付加する不連続フラグ付加部をさらに備え、
前記パラメータ設定手段は、前記再生用デジタル放送信号中の前記不連続フラグを監視し、前記所定の判断基準は前記不連続フラグの有無を含む、
デジタル放送受信システム。
【請求項８】  番組を構成する番組用パラメータが記述された情報テーブルを含むデジタル放送信号を受信する受信機を有するデジタル放送受信システムであって、
前記受信機は、
前記デジタル放送信号に含まれる前記情報テーブルに記述された前記番組用パラメータを信号抽出用パラメータとして設定するパラメータ設定手段と、
前記信号抽出用パラメータに基づき、前記デジタル放送信号から番組用信号を抽出する信号抽出手段とを備え、
前記パラメータ設定手段は、
所定の判断基準に基づき前記情報テーブルの内容変化を検出し、検出毎に内容変化後の前記情報テーブルに記述された前記番組用パラメータを前記信号抽出用パラメータとして設定し、
外部より外部受信デジタル放送信号を受け、該外部受信デジタル放送信号を記録するとともに、記録した信号を再生用デジタル放送信号として出力する記録再生部を含む記録再生手段をさらに備え、
前記デジタル放送信号は前記再生用デジタル放送信号を含み、
前記記録再生手段は、
前記記録再生部が前記外部受信デジタル放送信号の記録時に、該外部受信デジタル放送信号中の情報テーブルに対して番組単位に識別可能な識別符号を付加し前記再生用デジタル放送信号として記録させる、識別符号付加手段をさらに備え、
前記パラメータ設定手段は、前記再生用デジタル放送信号中の前記情報テーブルに付加された前記識別符号を監視し、前記所定の判断基準は前記識別符号の変化の有無を含む、
デジタル放送受信システム。
【請求項９】  番組を構成する番組用パラメータが記述された情報テーブルを含むデジタル放送信号を受信する受信機を有するデジタル放送受信システムであって、
前記受信機は、
前記デジタル放送信号に含まれる前記情報テーブルに記述された前記番組用パラメータを信号抽出用パラメータとして設定するパラメータ設定手段と、
前記信号抽出用パラメータに基づき、前記デジタル放送信号から番組用信号を抽出する信号抽出手段とを備え、
前記パラメータ設定手段は、
所定の判断基準に基づき前記情報テーブルの内容変化を検出し、検出毎に内容変化後の前記情報テーブルに記述された前記番組用パラメータを前記信号抽出用パラメータとして設定し、
外部より外部受信デジタル放送信号を受け、該外部受信デジタル放送信号を記録するとともに、記録した信号を再生用デジタル放送信号として出力する記録再生部を含む記録再生手段をさらに備え、
前記デジタル放送信号は前記再生用デジタル放送信号を含み、
前記記録再生手段は、
前記記録再生部が前記再生用デジタル放送信号の再生状態から停止状態への移行毎に、該再生用デジタル放送信号中の情報テーブルに対して新たな識別符号を付加する識別符号付加手段をさらに備え、
前記パラメータ設定手段は、前記再生用デジタル放送信号中の前記情報テーブルに付加された前記識別符号を監視し、前記所定の判断基準は前記識別符号の変化の有無を含む、
デジタル放送受信システム。
【請求項１０】  番組を構成する番組用パラメータが記述された情報テーブルを含むデジタル放送信号を受信する受信機を有するデジタル放送受信システムであって、
前記受信機は、
前記デジタル放送信号に含まれる前記情報テーブルに記述された前記番組用パラメータを信号抽出用パラメータとして設定するパラメータ設定手段と、
前記信号抽出用パラメータに基づき、前記デジタル放送信号から番組用信号を抽出する信号抽出手段とを備え、
前記パラメータ設定手段は、
所定の判断基準に基づき前記情報テーブルの内容変化を検出し、検出毎に内容変化後の前記情報テーブルに記述された前記番組用パラメータを前記信号抽出用パラメータとして設定し、
前記情報テーブルは、現在放送中の番組に対応する現番組用情報テーブルと、次に放送する番組に対応する次番組用情報テーブルとを含み、
前記パラメータ設定手段は、
前記デジタル放送信号から次番組用情報テーブルを抽出し、該次番組用情報テーブルに記述された番組用パラメータを次番組用パラメータとして仮設定する仮設定処理を予め行い、
前記現番組用情報テーブルの内容を監視し、当該監視において前記所定の判断基準は前記現番組用情報テーブルの内容が前記次番組用情報テーブルの内容に変化したか否かを含み、
前記情報テーブルの内容変化時に、仮設定した前記次番組用パラメータを前記信号抽出用パラメータとして設定する本設定処理を行う、
デジタル放送受信システム。
【請求項１１】  請求項１０記載のデジタル放送受信システムであって、
前記受信機は記憶手段を含み、
前記仮設定処理は前記次番組用パラメータを前記記憶手段に記憶させる処理を含み、
前記本設定処理は、前記記憶手段から前記次番組用パラメータを読み出して信号抽出用パラメータとして設定する処理を含む、
デジタル放送受信システム。
【請求項１２】  請求項１０記載のデジタル放送受信システムであって、
前記信号抽出手段は、有効状態の前記信号抽出用パラメータに基づき、前記デジタル放送信号から番組用信号を抽出し、
前記仮設定処理は、前記次番組用パラメータを前記信号抽出用パラメータとして有効状態にすることなく仮設定する処理を含み、
前記本設定処理は前記信号抽出用パラメータを有効状態にする処理を含む、
デジタル放送受信システム。
【手続補正２】
【補正対象書類名】明細書
【補正対象項目名】００１３
【補正方法】変更
【補正の内容】
【００１３】
【課題を解決するための手段】
この発明に係る請求項１ないし請求項４及び請求項６ないし請求項１０記載のデジタル放送受信システムは、番組を構成する番組用パラメータが記述された情報テーブルを含むデジタル放送信号を受信する受信機を有しており、前記受信機は、前記デジタル放送信号に含まれる前記情報テーブルに記述された前記番組用パラメータを信号抽出用パラメータとして設定するパラメータ設定手段と、前記信号抽出用パラメータに基づき、前記デジタル放送信号から番組用信号を抽出する信号抽出手段とを備え、前記パラメータ設定手段は、所定の判断基準に基づき前記情報テーブルの内容変化を検出し、検出毎に内容変化後の前記情報テーブルに記述された前記番組用パラメータを前記信号抽出用パラメータとして設定している。
【手続補正３】
【補正対象書類名】明細書
【補正対象項目名】００１４
【補正方法】変更
【補正の内容】
【００１４】
さらに、請求項１の発明は、請求項１記載のデジタル放送受信システムであって、前記パラメータ設定手段は、前記情報テーブルの内容を所定時間毎に監視し、前記所定の判断基準は前記情報テーブル自体の内容変化の有無を含む。
【手続補正４】
【補正対象書類名】明細書
【補正対象項目名】００１５
【補正方法】変更
【補正の内容】
【００１５】
加えて、請求項１の発明は、請求項１記載のデジタル放送受信システムであって、前記情報テーブルには、時刻情報であるＰＣＲ（Program Clock Reference)がさらに記述され、前記パラメータ設定手段は、前記ＰＣＲの不連続性を監視し、前記所定の判断基準は前記ＰＣＲの不連続性の有無を含む。
【手続補正５】
【補正対象書類名】明細書
【補正対象項目名】００１６
【補正方法】変更
【補正の内容】
【００１６】
また、請求項２の発明において、前記情報テーブルには、時刻情報であるＰＣＲがさらに記述され、前記パラメータ設定手段は、前記ＰＣＲの受信状態を監視し、前記所定の判断基準は前記ＰＣＲが所定時間受信不能であるか否かを含む。
【手続補正６】
【補正対象書類名】明細書
【補正対象項目名】００１７
【補正方法】変更
【補正の内容】
【００１７】
また、請求項３の発明において、前記受信機は、前記番組用信号をデコードするデコード手段をさらに備え、前記パラメータ設定手段は、前記デコード手段によるデコード結果を監視し、前記所定の判断基準は前記デコード結果のエラー発生の有無を含む。
【手続補正７】
【補正対象書類名】明細書
【補正対象項目名】００１８
【補正方法】変更
【補正の内容】
【００１８】
また、請求項４の発明において、前記デジタル放送信号は放送番組予定が記述されたＥＰＧ（Electric Program Guide）を含み、前記パラメータ設定手段は、前記ＥＰＧから現在受信している番組の終了時刻を予め認識し、前記所定の判断基準は番組の終了時刻に達したか否かを含む。
【手続補正８】
【補正対象書類名】明細書
【補正対象項目名】００１９
【補正方法】削除
【補正の内容】
【手続補正９】
【補正対象書類名】明細書
【補正対象項目名】００２０
【補正方法】変更
【補正の内容】
【００２０】
また、請求項５の発明は、請求項４記載のデジタル放送受信システムであって、外部より外部受信デジタル放送信号を受け、該外部受信デジタル放送信号を記録するとともに、記録した信号を再生用デジタル放送信号として出力する記録再生部を有する記録再生手段をさらに備え、前記デジタル放送信号は前記再生用デジタル放送信号を含み、前記受信機は記憶手段をさらに備え、前記パラメータ設定手段は、前記記録再生部に記録された前記再生用デジタル放送信号から前記受信機が受信中の現番組に続く次番組の情報テーブルである次番組用情報テーブルを抽出し、該次番組用情報テーブルに記述された番組用パラメータを次番組用パラメータとして前記記憶手段に予め保存しておき、前記情報テーブルの内容変化時に、前記記憶手段から前記次番組用パラメータを読み出して前記信号抽出用パラメータとして設定している。
【手続補正１０】
【補正対象書類名】明細書
【補正対象項目名】００２１
【補正方法】変更
【補正の内容】
【００２１】
また、請求項６の発明において、外部より外部受信デジタル放送信号を受け、該外部受信デジタル放送信号を記録するとともに、記録した信号を再生用デジタル放送信号として出力する記録再生部を有する記録再生手段をさらに備え、前記デジタル放送信号は前記再生用デジタル放送信号を含み、前記記録再生手段は、前記記録再生部が前記外部受信デジタル放送信号の記録停止時に、前記外部受信デジタル放送信号に不連続フラグを付加し前記再生用デジタル放送信号として前記記録再生部に記録させる不連続フラグ付加部をさらに備え、前記パラメータ設定手段は、前記再生用デジタル放送信号中の前記不連続フラグを監視し、前記所定の判断基準は前記不連続フラグの有無を含む。
【手続補正１１】
【補正対象書類名】明細書
【補正対象項目名】００２２
【補正方法】変更
【補正の内容】
【００２２】
また、請求項７の発明において、外部より外部受信デジタル放送信号を受け、該外部受信デジタル放送信号を記録するとともに、記録した信号を再生用デジタル放送信号として出力する記録再生部を含む記録再生手段をさらに備え、前記デジタル放送信号は前記再生用デジタル放送信号を含み、前記記録再生手段は、前記記録再生部が前記再生用デジタル放送信号の再生状態から停止状態への移行時に、該再生用デジタル放送信号に不連続フラグを付加する不連続フラグ付加部をさらに備え、前記パラメータ設定手段は、前記再生用デジタル放送信号中の前記不連続フラグを監視し、前記所定の判断基準は前記不連続フラグの有無を含む。
【手続補正１２】
【補正対象書類名】明細書
【補正対象項目名】００２３
【補正方法】変更
【補正の内容】
【００２３】
また、請求項８の発明において、外部より外部受信デジタル放送信号を受け、該外部受信デジタル放送信号を記録するとともに、記録した信号を再生用デジタル放送信号として出力する記録再生部を含む記録再生手段をさらに備え、前記デジタル放送信号は前記再生用デジタル放送信号を含み、前記記録再生手段は、前記記録再生部が前記外部受信デジタル放送信号の記録時に、該外部受信デジタル放送信号中の情報テーブルに対して番組単位に識別可能な識別符号を付加し前記再生用デジタル放送信号として記録させる、識別符号付加手段をさらに備え、前記パラメータ設定手段は、前記再生用デジタル放送信号中の前記情報テーブルに付加された前記識別符号を監視し、前記所定の判断基準は前記識別符号の変化の有無を含む。
【手続補正１３】
【補正対象書類名】明細書
【補正対象項目名】００２４
【補正方法】変更
【補正の内容】
【００２４】
また、請求項９の発明において、外部より外部受信デジタル放送信号を受け、該外部受信デジタル放送信号を記録するとともに、記録した信号を再生用デジタル放送信号として出力する記録再生部を含む記録再生手段をさらに備え、前記デジタル放送信号は前記再生用デジタル放送信号を含み、前記記録再生手段は、前記記録再生部が前記再生用デジタル放送信号の再生状態から停止状態への移行毎に、該再生用デジタル放送信号中の情報テーブルに対して新たな識別符号を付加する識別符号付加手段をさらに備え、前記パラメータ設定手段は、前記再生用デジタル放送信号中の前記情報テーブルに付加された前記識別符号を監視し、前記所定の判断基準は前記識別符号の変化の有無を含む。
【手続補正１４】
【補正対象書類名】明細書
【補正対象項目名】００２５
【補正方法】変更
【補正の内容】
【００２５】
また、請求項１０の発明において、前記情報テーブルは、現在放送中の番組に対応する現番組用情報テーブルと、次に放送する番組に対応する次番組用情報テーブルとを含み、前記パラメータ設定手段は、前記デジタル放送信号から次番組用情報テーブルを抽出し、該次番組用情報テーブルに記述された番組用パラメータを次番組用パラメータとして仮設定する仮設定処理を予め行い、前記現番組用情報テーブルの内容を監視し、当該監視において前記所定の判断基準は前記現番組用情報テーブルの内容が前記次番組用情報テーブルの内容に変化したか否かを含み、前記情報テーブルの内容変化時に、仮設定した前記次番組用パラメータを前記信号抽出用パラメータとして設定する本設定処理を行う。
【手続補正１５】
【補正対象書類名】明細書
【補正対象項目名】００２６
【補正方法】変更
【補正の内容】
【００２６】
また、請求項１１の発明は、請求項１０記載のデジタル放送受信システムであって、前記受信機は記憶手段を含み、前記仮設定処理は前記次番組用パラメータを前記記憶手段に記憶させる処理を含み、前記本設定処理は、前記記憶手段から前記次番組用パラメータを読み出して信号抽出用パラメータとして設定する処理を含む。
【手続補正１６】
【補正対象書類名】明細書
【補正対象項目名】００２７
【補正方法】変更
【補正の内容】
【００２７】
また、請求項１２の発明は、請求項１０記載のデジタル放送受信システムであって、前記信号抽出手段は、有効状態の前記信号抽出用パラメータに基づき、前記デジタル放送信号から番組用信号を抽出し、前記仮設定処理は、前記次番組用パラメータを前記信号抽出用パラメータとして有効状態にすることなく仮設定する処理を含み、前記本設定処理は前記信号抽出用パラメータを有効状態にする処理を含む。
【手続補正１７】
【補正対象書類名】明細書
【補正対象項目名】０１２９
【補正方法】変更
【補正の内容】
【０１２９】
【発明の効果】
以上説明したように、この発明における請求項１ないし請求項４及び請求項６ないし請求項１０記載のデジタル放送受信システムのパラメータ設定手段は、情報テーブルの内容変化の検出毎に、内容変化後の情報テーブルに記述された番組用パラメータを信号抽出用パラメータとして設定するため、情報テーブルの内容が変更される番組切り替わり時に支障無く速やかに受信動作が行える。
【手続補正１８】
【補正対象書類名】明細書
【補正対象項目名】０１３０
【補正方法】変更
【補正の内容】
【０１３０】
上記パラメータ設定手段は情報テーブルの内容変化が検出可能な構成であれば良いため、受信機を比較的簡単な構成で実現できる。
【手続補正１９】
【補正対象書類名】明細書
【補正対象項目名】０１３１
【補正方法】変更
【補正の内容】
【０１３１】
さらに、請求項１記載のデジタル放送受信システムは、情報テーブル自体の内容変化を所定時間毎に検出することにより、速やかに番組切り替わりを検出することができる。
【手続補正２０】
【補正対象書類名】明細書
【補正対象項目名】０１３２
【補正方法】変更
【補正の内容】
【０１３２】
加えて、請求項１記載のデジタル放送受信システムは、ＰＣＲの不連続性の有無という比較的簡単な判断基準によって情報テーブルの内容変化を検出することができる。
【手続補正２１】
【補正対象書類名】明細書
【補正対象項目名】０１３３
【補正方法】変更
【補正の内容】
【０１３３】
請求項２記載のデジタル放送受信システムは、ＰＣＲが所定時間受信不能であるという比較的簡単な認識によって情報テーブル内容変化が生じたことを検出することができる。
【手続補正２２】
【補正対象書類名】明細書
【補正対象項目名】０１３４
【補正方法】変更
【補正の内容】
【０１３４】
請求項３記載のデジタル放送受信システムは、デコード結果のエラー発生の有無という比較的簡単な判断基準によって情報テーブルの内容変化を検出することができる。
【手続補正２３】
【補正対象書類名】明細書
【補正対象項目名】０１３５
【補正方法】変更
【補正の内容】
【０１３５】
請求項４記載のデジタル放送受信システムは、ＥＰＧから現在の番組の終了時刻を予め認識することにより、デジタル放送信号を常時監視することなく情報テーブルの内容変化を検出することができる。
【手続補正２４】
【補正対象書類名】明細書
【補正対象項目名】０１３６
【補正方法】削除
【補正の内容】
【手続補正２５】
【補正対象書類名】明細書
【補正対象項目名】０１３７
【補正方法】変更
【補正の内容】
【０１３７】
請求項５記載のデジタル放送受信システムは、記憶手段から読み出して得られる次番組用パラメータを信号抽出用パラメータとして設定することにより、高速に信号抽出用パラメータの設定処理が行える。
【手続補正２６】
【補正対象書類名】明細書
【補正対象項目名】０１３８
【補正方法】変更
【補正の内容】
【０１３８】
請求項６記載のデジタル放送受信システムは記録再生部の記録停止時に付加された不連続フラグの有無を再生用デジタル放送信号から検出するという比較的容易な処理で情報テーブル内容の変化を認識することができる。
【手続補正２７】
【補正対象書類名】明細書
【補正対象項目名】０１３９
【補正方法】変更
【補正の内容】
【０１３９】
請求項７記載のデジタル放送受信システムは記録再生部が再生状態から停止状態への移行時に付加された不連続フラグの有無を再生用デジタル放送信号から検出するという比較的容易な処理で情報テーブル内容の変化を認識することができる。
【手続補正２８】
【補正対象書類名】明細書
【補正対象項目名】０１４０
【補正方法】変更
【補正の内容】
【０１４０】
請求項８記載のデジタル放送受信システムは、情報テーブルに付加された番組単位に識別可能な識別符号の変化を検出するという比較的容易な処理で情報テーブル内容の変化を認識することができる。
【手続補正２９】
【補正対象書類名】明細書
【補正対象項目名】０１４１
【補正方法】変更
【補正の内容】
【０１４１】
請求項９記載のデジタル放送受信システムは、記録再生部が再生状態から停止状態への移行時に変更された情報テーブルの識別符号の変化を検出するという比較的容易な処理によって情報テーブル内容の変化を認識することができる。
【手続補正３０】
【補正対象書類名】明細書
【補正対象項目名】０１４２
【補正方法】変更
【補正の内容】
【０１４２】
請求項１０記載のデジタル放送受信システムは、情報テーブルの内容変化時に、予め仮設定した次番組用パラメータを現信号抽出用パラメータとして設定する本設定処理を行うため、高速に信号抽出用パラメータの設定処理が行える。
【手続補正３１】
【補正対象書類名】明細書
【補正対象項目名】０１４３
【補正方法】変更
【補正の内容】
【０１４３】
請求項１１記載のデジタル放送受信システムは、本設定処理として、記憶手段から次番組用パラメータを読み出して信号抽出用パラメータに設定する処理を実行することにより、高速な信号抽出用パラメータの設定処理を行っている。
【手続補正３２】
【補正対象書類名】明細書
【補正対象項目名】０１４４
【補正方法】変更
【補正の内容】
【０１４４】
請求項１２記載のデジタル放送受信システムは、本設定処理として、信号抽出用パラメータを有効状態にする処理を実行することにより、高速な信号抽出用パラメータの設定処理を行っている。